(57)【要約】【課題】 釣り人の経済的な負担が軽く、持ち運びし易く、竿操作性、竿強度に優れ、また竿長さの変更が容易な釣り竿を提供すること。【解決手段】  固着された握り２ａを有する元竿２と、元竿２の穂先５側に接続される第一の竿３と、第一の竿３の穂先５側に接続される第二の竿４と、第一の竿３の元竿２側の端部部分の外側に取り付けられて握りとされる着脱可能な管状体１０ａとを備え、第二の竿４の穂先５側に穂先５を含む複数本の竿７、６、５が接続される釣り竿１であって、管状体１０ａが握りとして取り付けられた第一の竿３の穂先５側に穂先５を含む２本以上の竿４、７、６、５が接続されて、竿３〜７が接続された５本継ぎの短尺の釣り竿とされ、この短尺の釣り竿から管状体１０ａが取り外されて第一の竿３に元竿２が接続されて、竿２〜７が接続された６本継ぎの長尺の釣り竿とされる釣り竿１。【選択図】  図１
2005080546.tif 000002
【特許請求の範囲】
【請求項１】
固着された握りを有する元竿と、この元竿の穂先側に接続される第一の竿と、この第一の竿の穂先側に接続される第二の竿と、前記の第一の竿又は前記の第二の竿の元竿側の端部部分の外側に取り付けられて握りとされる着脱可能な管状体とを備え、前記の第二の竿の穂先側に穂先又は穂先を含む複数本の竿が接続される釣り竿であって、前記管状体が握りとして取り付けられた竿の穂先側に前記穂先を含む２本以上の竿が接続されて短尺の釣り竿とされ、この短尺の釣り竿から前記管状体が取り外されて管状体が取り外された竿の元竿側に前記元竿が接続されか又は前記の第一の竿と前記元竿とが接続されて長尺の釣り竿とされる釣り竿。
【請求項２】
前記管状体は、該管状体と該管状体が握りとして取り付けられた竿とを結合するとともに着脱可能な結合具を用いて竿からの抜けを防止されていることを特徴とする請求項１記載の釣り竿。
【請求項３】
前記管状体は前記の第一の竿に握りとして取り付けられ、この第一の竿の内部と、前記元竿の内部とに、残りの竿の全てが収容されていることを特徴とする請求項１又は２に記載の釣り竿。
【請求項４】
前記の第一の竿と前記元竿とが透明性ケースの内部に収容されて、第一の竿に握りとして取り付けられた管状体が透視できる請求項３に記載の釣り竿。
【請求項５】
前記管状体は、その外面に深さが０．５ｍｍ以上である溝を有することを特徴とする請求項１又は２に記載の釣り竿。
【請求項６】
前記管状体は、型の上に螺旋状に巻回された糸状体が樹脂又はゴムで結合され、次いで前記型が脱型されることで製造されたものである請求項１又は２に記載の釣り竿。
【請求項７】
釣り竿が、カーボン繊維とガラス繊維とから選ばれた少なくとも１種の繊維により補強されていることを特徴とする請求項１又は２に記載の釣り竿。
【請求項８】
釣り竿が、へら鮒釣り用の釣り竿であることを特徴とする請求項１から７のいずれか１項に記載の釣り竿。
【発明の詳細な説明】
【技術分野】
【０００１】
本発明は、へら鮒等の魚を釣るために用いる釣り竿に関する。
【背景技術】
【０００２】
釣り竿として、径が異なる先細りテーパ状の複数の竿を並継ぎ形式で接続したものが用いられている。この並継ぎ形式によれば、振出形式よりも竿強度が大きい釣り竿が得られ易い。また釣り竿として、カーボン繊維等で補強されて軽量にして高強度のものが用いられている。このため、餌をつけた釣り糸を頻繁に投入する性質のへら鮒釣り用の竿（ヘラ竿）として、カーボン繊維等で補強された竿を並継ぎ形式で接続し、しなり具合が先調子で、元竿とこの元竿に接続される第一の竿との内部に残りの竿の全てを収容する２本仕舞いのものが用いられている。
【０００３】
へら鮒釣りの場合、水深が漸次浅くなるかけ上がり、水草まわり等の好ポイントに餌を投入することが好ましい。このため竿長さが異なる多種の釣り竿がへら竿として市販されている。そして、釣り人は竿長さが異なる釣り竿を数本、例えば竿長さが１８尺、１５尺、１３尺の３本の釣り竿を所持し使い分けている。
【０００４】
長さが異なる複数のへら竿より構成されるへら竿群であって、竿操作が同じバランス感覚で行えるへら竿群が、特開２００２−５８３９３号公報に開示されている。また紐状の素材を溝部を露出させる状態で竿素材に巻回して形成した握り部を備えた釣り竿であって、手触りを向上させ、滑り難くした握りを有し、且つへら竿としても用いられる釣り竿が特開平６−３４３３７４号公報に開示されている。
【特許文献１】特開２００２−５８３９３号公報
【特許文献２】特開平６−３４３３７４号公報
【０００５】
カーボン繊維等により補強された釣り竿は高性能であるが、釣り竿１本が数万円と高価である。この高価な釣り竿を数本備えることは、釣り人にとって経済的に負担である。また竿長さが異なる数本の釣り竿を釣り場に持ち運びすることは不便である。
【発明の開示】
【発明が解決しようとする課題】
【０００６】
本発明は、釣り人の経済的な負担が軽く、持ち運びし易く、竿操作性、竿強度等に優れ、また竿長さの変更が容易な釣り竿を提供することを目的とする。
【課題を解決するための手段】
【０００７】
本発明の釣り竿は、固着された握りを有する元竿と、この元竿の穂先側に接続される第一の竿と、この第一の竿の穂先側に接続される第二の竿と、前記の第一の竿又は前記の第二の竿の元竿側の端部部分の外側に取り付けられて握りとされる着脱可能な管状体とを備え、前記の第二の竿の穂先側に穂先又は穂先を含む複数本の竿が接続される釣り竿であって、前記管状体が握りとして取り付けられた竿の穂先側に前記穂先を含む２本以上の竿が接続されて短尺の釣り竿とされ、この短尺の釣り竿から前記管状体が取り外されて管状体が取り外された竿の元竿側に前記元竿が接続されか又は前記の第一の竿と前記元竿とが接続されて長尺の釣り竿とされる釣り竿である。
【０００８】
前記管状体は、該管状体と該管状体が握りとして取り付けられた竿とを結合するとともに着脱可能な結合具を用いて竿からの抜けを防止されていることが好ましい。また前記管状体は前記の第一の竿に握りとして取り付けられ、この第一の竿の内部と、前記元竿の内部とに、前記の第一の竿と前記元竿以外の全ての竿が収容されて２本仕舞いとされていることが好ましく、更に２本仕舞いとされた前記の第一の竿と前記元竿とが、透明性ケースの内部に収容されて、第一の竿に握りとして取り付けられた管状体が透視できるようにされていることが好ましい。また管状体は、その外面に深さが０．５ｍｍ以上である溝を有することが好ましい。更に、管状体は、型の上に螺旋状に巻回された糸状体が樹脂又はゴムで結合され、次いで前記型が脱型されることで製造されたものであることが好ましい。
【０００９】
釣り竿が、カーボン繊維とガラス繊維とから選ばれた少なくとも１種の繊維により補強されていることが好ましく、また釣り竿がへら鮒釣り用の釣り竿であることが好ましい。
【００１０】
前記結合具は第一の竿又は第二の竿と管状体とに係止してこれらの竿と管状体とが分離しないように結合するものであることが好ましい。また前記結合具がゴムを用いて構成され、このゴムが第一の竿又は第二の竿の表面と接触するようにされていることが好ましい。結合具がゴムの環状体、特に輪ゴムであることが望ましい。また前記管状体の中空部は貫通孔であることが好ましい。また前記管状体は、螺旋状に巻回されている糸状体が樹脂又はゴムで結合され、前記糸状体の幅が０．５ｍｍ以上である構造を有することが好ましい。また前記糸状体は、幅が０．５ｍｍ以上であるより糸であることが望ましい。また前記管状体とこの管状体が握りとして取り付けられる竿との隙間は、０ｍｍ以上で１．５ｍｍ以下であることが好ましい。また長尺の釣り竿と短尺の釣り竿との竿長さが区別して前記の透明性ケースに表示されていることが好ましい。また前記溝は、管状体の外面に螺旋状に形成されていることが望ましい。また釣り竿は、中空部を有して第一の竿の元竿側の端部部分に着脱可能に外嵌させられて握りとされる管状体と、中空部を有して第二の竿の元竿側の端部部分に着脱可能に外嵌させられて握りとされる管状体とを備えていることが好ましい。
【発明の効果】
【００１１】
本発明の釣り竿は、着脱可能な管状体を第一の竿又は第二の竿の元竿側の端部部分の外側に握りとして取り付けることで短尺の釣り竿とされ、この短尺の釣り竿から管状体が取り外されて長尺の釣り竿とされるものであるから、製造コスト、持ち運び性等の点では、実質的に１本の釣り竿に等しい。従って本発明によれば、竿長さが異なる釣り竿が、竿長さ毎に釣り竿を揃える場合と比較して約１／３〜１／２の低コストで製造できるし、また持ち運びし易い釣り竿が提供される。
【００１２】
また管状体は第一の竿又は第二の竿に握りとして取り付けられ、且つ管状体が握りとして取り付けられた竿の穂先側に穂先を含む２本以上の竿が接続されて短尺の竿とされるので、管状体が取り付けられた竿の竿径も十分に大きくて破断し難く、またしなり具合は先調子で竿操作性に優れる。
結合具により、管状体と該管状体が取り付けられた竿とが結合されていれば、管状体が竿から抜けるのを確実に防止できる。また結合具と管状体とは着脱可能なので竿長さの変更が容易である。
【００１３】
管状体が第一の竿に取り付けられ、この第一の竿の内部と、元竿の内部とに、残りの竿の全てが収容された２本仕舞いとされていれば、釣り竿が短尺の釣り竿としても、長尺の釣り竿としても併用できることが一目で判る。また上記２本仕舞いの釣り竿が透明性ケースの内部に収容されていれば、第一の竿に握りとして取り付けられた管状体を透視できるので、本発明の釣り竿の持参忘れを防止できる。
【００１４】
管状体がその外面に深さが０．５ｍｍ以上である溝を有すれば結合具による係止力が大きく、このため竿抜けを確実に防止できる。また管状体が型の上に螺旋状に巻回された糸状体が樹脂又はゴムで結合され、次いで前記型が脱型されることで製造されたものであれば、糸状体を多量に含有できてクッション性に富んで、管状体の取り付け取り外しが容易で、また竿の外面を傷つけない。また管状体が上記製法によるものでれば、中空部の形状精度が良く、また竿と比較して管状体を低コストで製造できる。
【００１５】
釣り竿がカーボン繊維、ガラス繊維により補強されていれば、しなり具合を先調子とし易いうえに、第一の竿、第二の竿に管状体を握りとして取り付け使用してもこれらの竿は破損し難い。またカーボンロッド等の釣り竿は工業生産により形状一定の竿を量産できるので管状体を量産し易い。またへら鮒釣りでは、短尺、長尺の釣り竿が多用されるので、本発明の釣り竿はへら鮒釣り用の釣り竿として好適である。
【発明を実施するための最良の形態】
【００１６】
図１、２は、本発明に係わる釣り竿の第一の例を示す外形図であって、図１は本発明の釣り竿が５本継ぎの短尺の釣り竿とされている例を、 図２は本発明の釣り竿が６本継ぎの長尺の釣り竿とされている例を示す。図３は、図１に示す短尺の釣り竿の手元側の部分を拡大して示した断面図である。図１中の一点鎖線は釣り竿のしなり具合を示す。
この第一の例の釣り竿は、管状体１０ａを握りとして第一の竿３の元竿２側の端部部分の外側に着脱可能に嵌めることで、図１に示すように５本並継ぎの、竿長さ１５尺の短尺の釣り竿として使用される。またこの短尺の釣り竿から管状体１０ａが取り外されて第一の竿３に元竿２が連結されることで、図２に示すように６本並継ぎの、竿長さ１８尺の長尺の釣り竿としても使用される。
尚、竿３〜７は、短尺の釣り竿の場合と長尺の釣り竿の場合とで共用されている。
【００１７】
即ち、この例の釣り竿１は、図１、２に示すように、固着された握り２ａを有する元竿２と、この元竿２の穂先５側に接続される第一の竿３と、この第一の竿３の穂先５側に接続される第二の竿４と、第一の竿３の元竿２側の端部部分の外側に取り付けられて握りとされる着脱可能な管状体１０ａとを備え、第二の竿４の穂先５側に穂先５を含む複数本の竿、即ち第二の竿４、３番竿７、２番竿６，穂先５が順次接続される釣りり竿１であって、図１に示すように管状体１０ａが握りとして取り付けられた第一の竿３の穂先５側に穂先５を含む２本以上の竿、即ち第二の竿４、３番竿７、２番竿６，穂先５の４本の竿が順次接続されて５本継ぎの短尺の釣り竿とされ、この短尺の釣り竿から管状体１０ａが取り外されて、図２に示すように第一の竿３の元竿２側に元竿２が接続されて６本継ぎの長尺の釣り竿とされる釣り竿１である。
短尺の釣り竿とされた際に不使用の図１に示す元竿２は透明性ケース等の内部に保管される。
【００１８】
各竿２〜７は、断面円形の外形を有して径が異なり、また先細りのテーパ状であって、並継ぎ形式で接続される。例えば図３に示すように、第一の竿３の穂先５側の開口部９内に、穂先５側から元竿２側の方向に向かって第二の竿４の元竿２側の端部部分が差し込まれて雌雄嵌合することで第一の竿３と第二の竿４とが着脱可能に接続される。釣りを止めて釣り竿１を仕舞うときは、各竿２〜７は引き抜かれることで接続を解かれる。
【００１９】
穂先５以外の竿２〜４、６、７が中空を有する管体であれば、釣り竿１は軽量であるし、２本仕舞いできる。各竿２〜７の長さは、好ましくは約３尺である。
【００２０】
各竿２〜７は、樹脂、例えばエポキシ樹脂がガラス繊維、好ましくはカーボン繊維若しくはカーボン繊維とガラス繊維等の高強度繊維で補強されていることが好ましい。カーボン繊維の含有量が、高強度繊維の総量中、８０重量％以上であると、釣り竿１は特に高強度で、また先調子とし易い。先調子とは、図１中に一点鎖線で示すように、釣り竿１の先端部付近がしなり易い性質である。釣り竿１が先調子であると、中央部付近より先の部分がしなり易い胴調子の釣り竿と比較して、釣り糸を一定場所に投入し易く、また魚を取り込み易い。第一の竿３、第二の竿４の元竿２側の端部が、図３に示すように、尻栓８によって封じられていると竿強度が大きいので、こららの竿３、４に管状体を握りとして取り付けて使用してもこれらの竿３、４は破損し難い。
【００２１】
元竿２は固着した握り２ａを有し、外径が最も大きい部分を有する竿であって、長尺の釣り竿を形成するために用いられる。固着した握り２ａは手触りを向上させ、手を滑り難くするためのものであり、取り外しできないように元竿２に固着されており紛失の虞がない。固着した握り２ａの例は、元竿２の端部部分の外側に、藤、綿糸等の糸状体が巻回され、この糸状体が樹脂、例えばエポキシ樹脂により結合され、この樹脂が元竿２と接着により一体化されているものである。
【００２２】
穂先５は釣り糸を取り付けるための竿であって、元竿２とは反対側に位置し、外径が最も小さい部分を有する。穂先５の先端部の外径は、例えば約０．５ｍｍ〜１．５ｍｍである。釣り糸を取り付けるための蛇口５ａが穂先５に取り付けられてもよい。
【００２３】
管状体は短尺の釣り竿の握りとして用いられるものであって、固着された握りと同様に手触りを向上させ、手を滑り難くするためのものである。そして、管状体は中空部を有し、この中空部内に第一の竿又は第二の竿の元竿側の端部部分が着脱可能に嵌められる。管状体は、固着された握りと同様に、その長さが約５ｃｍ〜２０ｃｍで、最も太い所の外径が約１５ｍｍ〜３０ｍｍであると握り易い。管状体の外形は、図１に示すように外面に凹凸を有する円筒状でもよいし、図示する固着した握り２ａと同様な紡錘形でもよい。
【００２４】
図１、３等に示す管状体１０ａは、その中空部１１ａに第一の竿３の元竿２側の端部部分が挿入されて握りとされる。図１に示すように、管状体１０ａが外嵌した第一の竿３の穂先５側に４本の竿４〜７が接続されているので、釣り竿１の調子は、図２に示す６本継ぎの長尺の釣り竿と殆ど同じである。また管状体１０ａが取り付けられた第一の竿３の部分の外径は十分に大きくて竿強度も大きい。
尚、６本並継ぎ、竿長さ１８尺の釣り竿１の場合、元竿２の固着した握り２ａ部分の外径は例えば１２ｍｍであり、第一の竿３の元竿２側の端部部分の外径は例えば１１ｍｍである。
【００２５】
管状体１０ａは断面形状が円形である中空部１１ａを有する。管状体１０ａとこの管状体１０ａが握りとして取り付けられた第一の竿３の部分との隙間（Ｃ−Ｄ）が、０ｍｍ以上で１．５ｍｍ以下、特に０．０５ｍｍ以上で１．０ｍｍ以下であることが好ましい。中空部１１ａの内径Ｃ（図３に示す。）が第一の竿３の握りとして取り付けられた部分の外径Ｄ（図３に示す。）より小さいと、第一の竿３の元竿２側の端部部分を中空部１１ａ内に差し込み難くて管状体１０ａを取り付け難い。内径Ｃが外径Ｄよりも1．５ｍｍを越えて大きいと隙間が大き過ぎて、外嵌させられた管状体１０ａがたついて握り心地が悪く、また竿抜けし易い。
【００２６】
管状体１０ａは糸状体１２が樹脂１３又はゴムにより結合された構造を有することが好ましい。樹脂１３の例はエポキシ樹脂で、ゴムの例はウレタンゴムである。樹脂１３がエポキシ樹脂であると管状体１０ａは硬質性であり、また製造し易い。管状体１０ａは、黒等に着色された糸状体１２を用いて黒などに着色されるがよい。
【００２７】
糸状体１２は樹脂１３又はゴムを補強して管状体１０ａに強度を与える。糸状体１２の例は、綿糸、麻糸又は麻より糸、綿より糸、絹より糸等の天然繊維のより糸若しくは化学繊維より糸等のより糸である。綿等の天然繊維の短繊維を撚り合わせて糸とし、この糸の複数本（例えば３本）を撚り合わせたより糸は吸湿性であって強度も大きい。より糸の具体例は、外径が約１．２ｍｍの３本撚りのジュート麻糸である。
【００２８】
糸状体１２は、０．５ｍｍ以上、好ましくは０．７ｍｍ〜４ｍｍの太さ（外径）を有することが好ましい。糸状体１２がこのような太さであれば破断し難いので、樹脂１３が折損したとしても管状体１０ａは二つに分離し難いし、管状体１０ａの外周面に深さｄ（図５に示す。）が０．５ｍｍ以上、好ましくは深さｄが０．７ｍｍ〜４ｍｍの螺旋形状の溝１６が形成され易い。糸状体１２は管状体１０ａ中においても、樹脂１３により結合される前の形状をほぼ維持する。従って管状体１０ａ中の糸状体１２の幅ｗ（図５に示す。）は、０．５ｍｍ以上、好ましくは０．７ｍｍ〜４ｍｍである。
【００２９】
管状体は、型の上に糸状体を螺旋状に巻回し、この糸状体を前記の樹脂又はゴムで型の上で結合し、次いで前記型を脱型することで製造できる。型は中空部を形成するためのものであり、この型は第一の竿、第二の竿でもよいし、第一の竿又は第二の竿の元竿側の端部部分の形状と隙間（Ｃ−Ｄ）とを与えるように切削加工された金属製若しくはプラスチックス製の型でもよい。
【００３０】
管状体１０ａの製法例を図４に基づきを説明する。この例は、第一の竿３を型として用いた例である。
第一の竿３の元竿２側の端部部分の外側に、プラスチックスフィルム、例えばポリエチレンフィルムを巻回して離型性の保護フィルム層３０を形成する。この保護フィルム層３０は樹脂１３が第一の竿３の外周面に接着するのを防止する。また保護フィルム層３０の厚さによって管状体１０ａと第一の竿３との間の隙間（Ｃ−Ｄ）が確保される。
【００３１】
次いで、保護フィルム層３０の外側に樹脂液３１を塗布し、その外側に樹脂液３１が表面に付着した紐状の糸状体（例えば、黒に着色され、太さが０．７ｍｍ〜４ｍｍの１本のより糸）１２を螺旋状に且つ重ねて、例えば２、３重に巻回し、巻回された糸状体１２の外側に更に樹脂液３１を塗布した後、常温に放置して樹脂液３１を硬化させる。この硬化により、紐状の糸状体１２は樹脂１３に取り囲まれ結合される。樹脂液３１として、常温（２０℃）で硬化する性質の常温硬化性の樹脂液、例えば２液混合型のエポキシ樹脂液が挙げられる。樹脂液３１が硬化した後、第一の竿３を引き抜くことで脱型し、保護フィルム層３０を除去する。
【００３２】
以上の製法により、断面形状が円形の中空部１１ａを有し、図５に示すように紐状の糸状体１２によって周方向に添う姿勢で螺旋状に形成された溝１６がその外周面に多数形成された管状体１０ａが得られる。
また上記製法によれば糸状体１２を多量に、例えば樹脂１３と糸状体１２との総量中に糸状体１２を６０体積％以上含有する管状体１０ａを容易に製造できる。糸状体１２を多量に含有する管状体１０ａはクッション性に優れるので、握り心地が良く、また管状体１０ａの着脱が容易であり、しかも第一の竿３の塗膜を傷つけない。
【００３３】
管状体１０ａの内面における樹脂１３の厚みが小さいと、中空部１１ａに第一の竿３を数回挿入し引き抜くと、図５に示すように、糸状体１２を構成する短繊維の毛羽１２ａが中空部１１ａ内に露出する。この毛羽１２ａは適度の滑り性を与えるので、第一の竿３に管状体１０ａを外嵌させ易い。
【００３４】
管状体１０ａが第一の竿３に取り付けられた状態で、管状体１０ａと第一の竿３とが分離しないように管状体１０ａと第一の竿３とを結合し、且つ着脱可能な結合具を用いて、管状体１０ａは第一の竿３からの竿抜けを防止される。結合具として、第一の竿３と管状体１０ａとに係止するものが好ましく、その例はゴムの環状体である。ゴムは伸度１００％以上を有して引き伸ばし易く、ゴムとして天然ゴム、合成ゴムが挙げられる。ゴムの環状体の例は、輪ゴム（ゴムバンド）、リング状の被覆ゴムひもである。結合具がゴムの環状体であれば手触りが良いうえに、引き延ばして管状体１０ａと第一の竿３との外面に巻回することで管状体１０ａと第一の竿３とを結合できる。また、結合具がゴムから構成され、このゴムが第一の竿３の外面と接触するようにされていれば、第一の竿３の塗膜が傷つくこともない。
【００３５】
結合具を取り付ける位置を示す取付位置の表示を、線状或いは帯状に、第一の竿、第二の竿に設けておけば結合具を竿に取り付け易い。この取付位置の表示は、管状体の取付位置よりも３ｍｍ〜３５ｍｍだけ離れた穂先５側に設けるがよい。
【００３６】
図１、３に示す例では結合具として輪ゴム２０が用いられている。輪ゴム２０の一方の端部が引き延ばされて取付位置の表示１８の所で第一の竿３の外周面に数回巻回され、他方の端部が引き延ばされて管状体１０ａの外周面に数回巻回されることで第一の竿３と管状体１０ａとは輪ゴム２０を介して分離しないように結合される。このため管状体１０ａは竿抜けしないので、魚に竿を取られることもない。輪ゴム２０は引き伸ばし易いし、切断しても入手容易であって取り替え易い。図１、３に示す輪ゴム２０は１本であるが、複数本であると結合力が大きい。輪ゴム２０の例は天然ゴム製であって、外径が約４０ｍｍのリング状のものである。
【００３７】
管状体の中空部はその一端が封じられていてもよいが、中空部が貫通孔であると、図１、３に示すように、第一の竿３の端部部分を管状体１０ａの外側に、例えば５ｍｍ〜３０ｍｍの長さ露出できる。この露出した部分に輪ゴム２０ａの一方の端部を数回巻回し、引き延ばして他方の端部を管状体１０ａの外周面に数回巻回すれば竿抜けが一層防止される。
【００３８】
管状体１０ａが０．５ｍｍ以上、好ましくは０．７ｍｍ〜４ｍｍの深さｄの溝１６を外周面に螺旋状に有すれば、手が滑り難く、また輪ゴム２０、２０ａは溝１６内に確実に係止され、溝１６内から外れないので輪ゴム２０、２０ａによる竿抜け防止効果が大きい。
【００３９】
図１に示す短尺の釣り竿を図２に示す長尺の釣り竿とするときは、もはや必要としない管状体１０ａを取り外す。即ち、輪ゴム２０、２０ａを引き延ばして輪ゴム２０、２０ａの巻回を解いて、輪ゴム２０、２０ａを管状体１０ａと第一の竿３とから取り外した後、第一の竿３から管状体１０ａを引き抜いて取り外す。そして、元竿２の開口部に第一の竿３を差し込んで元竿２を連結して、竿２〜 ７が接続された長尺の釣り竿とする。
【００４０】
図６は本発明に係わる釣り竿の第二の例を示し、この例では管状体１０ｂを第二の竿４の元竿２側の端部部分の外側に着脱可能に取り付けて握りとすることで、４本並継ぎの１２尺の短尺の釣り竿とされている。図７には不使用の管状体１０ｂが示されている。
即ち、この第二の例の釣り竿１は、図６に示すように、固着された握り２ａを有する元竿２と、この元竿２の穂先５側に連結される第一の竿３と、この第一の竿３の穂先５側に連結される第二の竿４と、中空部１１ｂを有する管状体１０ｂとを備え、第二の竿４の穂先５側に穂先５を含む複数本の竿、即ち３番竿７、２番竿６，穂先５が順次連結される釣り竿１であって、管状体１０ｂはその中空部１１ｂに、図６に示すように、第二の竿４の元竿２側の端部部分が挿入されて握りとされるものであり、管状体１０ｂが握りとして取り付けられた第二の竿４の穂先５側に穂先５を含む２本以上の竿７、６，５が順次連結されて４本継ぎの短尺の釣り竿とされ、この短尺の釣り竿の第二の竿４から管状体１０ｂが取り外されて、図２に示すように、第二の竿４の元竿２側に第一の竿３が連結され、この第一の竿３の元竿２側に元竿２が連結されて、竿２〜７が接続された６本継ぎの長尺の釣り竿とされる釣り竿１である。
図６に示す不使用の第一の竿３と元竿２とは透明性ケース等の内部に保管される。
【００４１】
前記の第一の例における管状体１０ａは第一の竿３を型として用いて製造されたが、第二の竿４を型として用いる以外は管状体１０ａの製造と同様にして、第二の竿４の元竿２側の端部部分に外嵌する管状体１０ｂを製造できる。管状体１０ｂとこの管状体１０ｂが握りとして取り付けられる第二の竿４の部分との隙間（Ｃ−Ｄ）は第一の例と同じである。
【００４２】
このように４本継ぎの釣り竿とした場合、図１に示す５本並継ぎの釣り竿１と比較して、図６中の一点鎖線で示すように、胴調子の傾向が若干強くなって竿操作性がやや劣る。
尚、上記の釣り竿１における第二の竿４の元竿２側の端部部分の外径は、例えば９ｍｍである。
【００４３】
図６に示す４本継ぎの短尺の釣り竿を、図１に示す５本継ぎの短尺の釣り竿とするときは、管状体１０ｂと第二の竿４とを結合する輪ゴム２０、２０ａを引き延ばしてその巻回を解き、輪ゴム２０、２０ａを管状体１０ｂと第二の竿４とから取り去り、次いで管状体１０ｂを第二の竿４から引き抜く。次いで、この第二の竿４に第一の竿３を連結し、この第一の竿３に前記第一の例で示したように管状体１０ａを取り付けて竿３〜７が接続された５本継ぎの短尺の釣り竿とする。
【００４４】
上記のように釣り竿１は、中空部１１ａを有して第一の竿３の元竿２側の端部部分に着脱可能に外嵌させられて握りとされる管状体１０ａと、中空部１１ｂを有して第二の竿４の元竿２側の端部部分に着脱可能に外嵌させられて握りとされる管状体１０ｂとを備えて、５本継ぎ、４本継ぎの短尺の釣り竿とされ、竿２〜７は共用されるものであるので、４本継ぎ、５本継ぎ、６本継ぎの釣り竿をそれぞれ揃える場合と比較して約１／３の低コストで製造でき、また持ち運びし易い。
【００４５】
釣りを止めて前記第一、二の例の釣り竿を仕舞う方法の例を図７に基づき述べる。
釣り竿１を仕舞うときに、第二の竿４に管状体１０ｂが取り付けられている場合は、２本仕舞いとするために管状体１０ｂを取り外す。取り外した管状体１０ｂを透明性ケース４０の内部に保管すると紛失を防止できる。そして、図７に示すように、第一の竿３の端部部分に管状体１０ａが外嵌され、且つ輪ゴム２０等により第一の竿３と管状体１０ａとが結合された状態とする。次いで、管状体１０ａが外嵌した第一の竿３の内部に３番竿７を収容し、この３番竿７の内部に穂先５を収容し、一方元竿２の内部に第二の竿４を収容し、この第二の竿４の内部に２番竿６を収容することで２本仕舞いとする。次いで元竿２の上端開口部と第一の竿３の上端開口部９とを竿栓４１にて封じる。次いで透明性プラスチックス製、例えばＰＥＴ製等の透明性ケース４０の内部に、２本仕舞いとされた元竿２と第一の竿３とを収容する。このように本発明に係わる釣り竿を透明性ケース４０の内部に収容すれば、第一の竿３に管状体１０ａが外嵌していることが透視できるので、短尺の釣り竿と長尺の釣り竿とが準備されていることが一目で判る。
【００４６】
透明性ケース４０に、長尺と短尺との竿長さを表す文字を区別して表示、例えば短尺の竿長さを文字サイズを変えて、若しくは図７に示すように括弧付きの表示としておけば１２尺、１５尺は管状体１０ｂ、１０ａを用いた場合の竿長さであることが判り易い。上記表示は、長尺と短尺との竿長さを区別して表したラベルを透明性ケース４０に貼付することでもよい。このように透明性ケース４０に表示しておくと、乾燥等の理由により管状体１０ｂ、１０ａを別の場所に置いていたとしても管状体１０ｂ、１０ａの持参忘れを防止できる。
【００４７】
管状体は第一の竿又は第二の竿に取り付けられなければならない。例えば、図１等に示す３番竿７に管状体を握りとして取り付けて、この３番竿７と２番竿６と穂先５とが接続された３本継ぎ、竿長さ９尺の釣り竿とすると、胴調子の傾向が余りにも強くなり過ぎて竿操作性が悪く、また管状体が取り付けれた部分は細径で竿強度も低いので好ましくない。
尚、上記の３番竿７の元竿２側の端部部分の外径は、例えば７．５ｍｍである。
【００４８】
本発明の釣り竿の第三の例を以下に述べる。
長尺の釣り竿が固着された握りを有する元竿を含めて４本並継ぎ、１２尺の場合は、元竿の穂先側に連結される第一の竿の元竿側の端部部分の外側に管状体が握りとして着脱可能に取り付けられる。そして管状体が取り付けられた第一の竿の穂先側に第二の竿が連結され、この第二の竿の穂先側に穂先が連結されて３本継ぎ、竿長さ９尺の短尺の釣り竿とされる。この短尺の釣り竿の場合に不使用の元竿は透明性ケース等の内部に保管される。
尚、上記の釣り竿における元竿の固着した握り部の外径は例えば１１ｍｍで、その第一の竿の元竿側の端部部分の外径は例えば９．０ｍｍである。
【００４９】
管状体が握りとして取り付けられた竿の穂先側に穂先を含む２本以上の竿が接続されなければならない。
例えば上記の４本並継ぎ、竿長さ１２尺の釣り竿における第二の竿に管状体を握りとして取り付け、この第二の竿に穂先が連結された２本継ぎ、竿長さ６尺の釣り竿は胴調子が強すぎて竿操作性が悪く、また上記の第二の竿は細径で竿強度も低いので好ましくない。
尚、上記の第二の竿の元竿側の端部部分の外径は、例えば５．５ｍｍである。
【産業上の利用可能性】
【００５０】
本発明の釣り竿は、真鮒、へら鮒などを釣るための釣り竿として利用できる。
【図面の簡単な説明】
【００５１】
【図１】本発明の釣り竿が短尺の釣り竿とされた例を示す外形図であって、各竿の中間部分は図示を省略されている。
【図２】本発明の釣り竿が長尺の釣り竿とされた例を示す外形図であって、各竿の中間部分は図示を省略されている。
【図３】図１に示す釣り竿の第一の竿、第二の竿の部分を拡大して示した断面図である。
【図４】管状体の製法の例を示す拡大断面図であって、第一の竿を型として用いた例を示す。
【図５】管状体の例を拡大して示す破断図であって、管状体の外形と断面とを同時に表す。
【図６】本発明の釣り竿が短尺の釣り竿とされた他の例を示す外形図であって、各竿の中間部分は図示を省略されている。
【図７】透明性ケースの内部に収容された本発明に係わる釣り竿の例を示す斜視図であって、竿、透明ケースの中間部分は図示を省略されている。
【符号の説明】
【００５２】
１・・釣り竿、２・・元竿、２ａ・・固着された握り、３・・第一の竿、  ４・・第二の竿、５・・穂先、５ａ・・蛇口、６・・２番竿、７・・３番竿、８・・尻栓、９・・開口部、１０ａ・・管状体、１０ｂ・・管状体、１１ａ・・中空部、１１ｂ・・中空部、１２・・糸状体、１２ａ・・毛羽、１３・・樹脂、１６・・溝、１８・・取付位置の表示、２０・・輪ゴム、２０ａ・・輪ゴム、３０・・保護フィルム層、３１・・樹脂液、４０・・透明性ケース、４１・・竿栓、ｄ・・深さ、ｗ・・幅、Ｃ・・内径、Ｄ・・外径
【図１】
2005080546.tif 000003
【図２】
2005080546.tif 000004
【図３】
2005080546.tif 000005
【図４】
2005080546.tif 000006
【図５】
2005080546.tif 000007
【図６】
2005080546.tif 000008
【図７】
2005080546.tif 000009